(57)【要約】【課題】高さ調整に加えて被取着体に対する傘の位置調整を２段階で行うことができ、傘の位置調整の自由度を多くすることができる傘用取着具を提供する。【解決手段】自転車のハンドル、手押し車のフレーム等の被取着体に取着する基台１と、該基台１にその長手方向への移動を可能に支持した柱体２と、該柱体２の長手方向と交差する軸体３の周りを回転可能として前記柱体２の端部に取着し、傘の軸柄を掴持する掴持体４とを備えており、前記基台１は前記被取着体を掴持する掴持部材１１（１２）と、該掴持部材１１（１２）に前記柱体２の長手方向と交差するねじ軸を介して回転可能に連結され、前記柱体２を支持する支持部材１４と、前記ねじ軸に螺着され前記掴持部材１１（１２）の掴持力を調整する調整ねじ１５とを有する構成とした。【選択図】        図１
2004358070.tif 000002
【特許請求の範囲】
【請求項１】
被取着体に取着する基台と、該基台にその長手方向への移動を可能に支持された柱体と、該柱体の長手方向と交差する軸体の周りを回転可能として前記柱体の端部に取着され、傘の軸柄を掴持する掴持体とを備えた傘用取着具において、前記基台は前記被取着体に取着する取着部材と、該取着部材に前記柱体の長手方向と交差する軸体を介して回転可能に連結され、前記柱体を支持するための支持部材とを有することを特徴とする傘用取着具。
【請求項２】
被取着体に取着する基台と、該基台にその長手方向への移動を可能に支持された柱体と、該柱体の長手方向と交差する軸体の周りを回転可能として前記柱体の端部に取着され、傘の軸柄を掴持する掴持体とを備えた傘用取着具において、前記基台は前記被取着体を掴持する掴持部材と、該掴持部材に前記柱体の長手方向と交差するねじ軸を介して回転可能に連結され、前記柱体を支持する支持部材と、前記ねじ軸に螺着され前記掴持部材の掴持力を調整する調整ねじとを有することを特徴とする傘用取着具。
【請求項３】
前記柱体は該柱体の長手方向と交差する軸体を介して相対回転可能に連結された２つの柱部材からなる請求項１又は２記載の傘用取着具。
【発明の詳細な説明】
【０００１】
【発明の属する技術分野】
本発明は既に所有する一般の傘を自転車、手押し車等の被取着体に容易に取着することができる傘用取着具に関する。
【０００２】
【従来の技術】
雨傘、日傘等の傘は、軸柄の下端に略Ｊ字形のグリップを有するＪ形グリップタイプと、軸柄の下端に略Ｉ字形のグリップを有するＩ形グリップタイプとが一般に知られており、前記グリップを把持した手によって支持する。従って、例えば自転車に乗って傘をさす場合、一方の手で自転車のハンドルを掴持し、他方の手で傘のグリップを掴持することになり、片手運転になる。
この片手運転を防ぐために傘用取着具が知られている（例えば、特許文献１）。
【０００３】
特許文献１の傘用取着具は、自転車のハンドルに取着する基台と、該基台にその長手方向への移動を可能に支持された柱体と、該柱体の長手方向と交差する軸体の周りを回転可能として前記柱体の上端部に取着され、傘の軸柄を掴持する掴持体とを備えている。
【０００４】
この特許文献１にあっては、基台を自転車のハンドルに取着した状態で柱体を基台に対して移動させることにより傘の高さを調整することができ、また、軸体を中心として掴持体を角回転させることにより傘の倒れ角度を調整することができる。
また、幼児用及び老人用の手押し車には傘を取着するための取着具は知られていない。
【０００５】
【特許文献１】
特開平１１−３４９５６号公報
【０００６】
【発明が解決しようとする課題】
しかしながら、特許文献１の傘用取着具の基台は自転車のハンドルに取着する取着部と、柱体を支持する支持部とが一体に形成されているため、自転車のハンドルに取着した傘用取着具に傘を取着しないで自転車に乗る場合、基台に対する柱体の位置を調整したとしても傘用取着具のハンドルに対する突出長さが比較的長くなると言う問題があった。また、基台の取着部に対する支持部の位置を変えることができないため、柱体は自転車の上下方向へ移動させることができるだけであり、傘の位置調整の自由度が少なく、改善策が要望されていた。
【０００７】
また、手押し車には傘を取着するための取着具が設けられていないため、手押し車に幼児を乗せて外出する場合、及び老人が手押し車を押しつつ外出する場合、一方の手で手押し車を押し、他方の手で傘のグリップを把持することになり、手押し車を押しづらいし、また、傘を支持する手が疲れ易いと言う不具合があった。
【０００８】
本発明は斯かる事情に鑑みてなされたものであり、被取着体に取着する基台を、被取着体に取着する取着部材と、該取着部材に柱体の長手方向と交差する軸体を介して回転可能に連結し、前記柱体を支持するための支持部材とを有する構成とすることにより、高さ調整に加えて被取着体に対する傘の位置調整を２段階で行うことができ、傘の位置調整の自由度を多くすることができる傘用取着具を提供することを目的とする。
【０００９】
また、被取着体に取着する基台を、被取着体を掴持する掴持部材と、該掴持部材に前記柱体の長手方向と交差するねじ軸を介して回転可能に連結され、前記柱体を支持する支持部材と、前記ねじ軸に螺着され前記掴持部材の掴持力を調整する調整ねじとを有する構成とすることにより、高さ調整に加えて被取着体に対する傘の位置調整を２段階で行うことができ、傘の位置調整の自由度を多くすることができる傘用取着具を提供することを目的とする。
【００１０】
また、柱体を該柱体の長手方向と交差する軸体を介して相対回転可能に連結した２つの柱部材を有する構成とすることにより、前記した２段階での調整位置と異なる位置への調整をさらに行うことができる傘用取着具を提供することを目的とする。
【００１１】
【課題を解決するための手段】
第１発明に係る傘用取着具は、被取着体に取着する基台と、該基台にその長手方向への移動を可能に支持された柱体と、該柱体の長手方向と交差する軸体の周りを回転可能として前記柱体の端部に取着され、傘の軸柄を掴持する掴持体とを備えた傘用取着具において、前記基台は前記被取着体に取着する取着部材と、該取着部材に前記柱体の長手方向と交差する軸体を介して回転可能に連結され、前記柱体を支持するための支持部材とを有することを特徴とする。
【００１２】
第２発明に係る傘用取着具は、被取着体に取着する基台と、該基台にその長手方向への移動を可能に支持された柱体と、該柱体の長手方向と交差する軸体の周りを回転可能として前記柱体の端部に取着され、傘の軸柄を掴持する掴持体とを備えた傘用取着具において、前記基台は前記被取着体を掴持する掴持部材と、該掴持部材に前記柱体の長手方向と交差するねじ軸を介して回転可能に連結され、前記柱体を支持する支持部材と、前記ねじ軸に螺着され前記掴持部材の掴持力を調整する調整ねじとを有することを特徴とする。
【００１３】
第３発明に係る傘用取着具は、前記柱体は該柱体の長手方向と交差する軸体を介して相対回転可能に連結された２つの柱部材を有することを特徴とする。
【００１４】
第１発明及び第２発明にあっては、被取着体が自転車のハンドル、手押し車のフレームである場合、基台を被取着体に取着した状態で柱体を基台に対して移動させることにより傘の高さを調整することができ、また、軸体を中心として基台の支持部材を角回転させ、さらに軸体を中心として掴持体を角回転させることにより高さ調整に加えて被取着体に対する傘の位置調整を２段階で行うことができ、傘の位置調整の自由度を多くすることができる。
【００１５】
また、被取着体に取着した傘用取着具に傘を取着しないで被取着体を使用する場合、軸体を中心として支持部材を角回転させることにより柱体を自転車、手押し車の幅方向へ倒すことができ、さらに柱体を前記支持部材に対して移動させることにより柱体及び掴持体の自転車、手押し車に対する突出長さを比較的短くすることができる。
さらに、第２発明によれば、掴持部材に支持部材を回転可能に連結するためのねじ軸に調整ねじが螺着されているため、この１つの調整ねじを操作することにより掴持部材の掴持力を調整することができ、傘用取着具の取着、取外しを簡易に行うことができる。
【００１６】
第３発明にあっては、軸体を中心として柱部材を角回転させることにより前記した２段階での調整位置と異なる位置への調整を行うことができるため、傘の位置調整の自由度をより一層多くすることができる。
【００１７】
【発明の実施の形態】
以下本発明をその実施の形態を示す図面に基づき具体的に説明する。
図１は本発明に係る傘用取着具の構成を示す正面図、図２は傘用取着具の構成を示す右側面図、図３は傘用取着具の構成を示す背面図、図４は傘用取着具の構成を示す左側面図、図５は傘用取着具の構成を示す平面図、図６は傘用取着具の構成を示す底面図、図７は図３のＶＩＩ  −ＶＩＩ  線の拡大断面図、図８は図２のＶＩＩＩ−ＶＩＩＩ線の拡大断面図、図９は図２のＩＸ−ＩＸ  線の拡大断面図、図１０は図２のＸ
−Ｘ  線の拡大断面図である。
【００１８】
この傘用取着具Ａは、上端に張り布が固定され、下端に略Ｊ字形又は略Ｉ字形のグリップを有する軸柄の途中に前記張り布を開閉操作する操作環が摺動可能に挿嵌されている傘を自転車、手押し車等の被取着体に取着するものであり、前記被取着体のパイプからなる部材を掴持して取着する基台１と、該基台１にその長手方向への移動を可能に支持された柱体２と、該柱体２の長手方向と交差するねじ軸３の周りを回転可能として前記柱体２の上端部に取着され、傘の軸柄を掴持する掴持体４とを備えている。
【００１９】
基台１は被取着体のパイプからなる部材を掴持する２つの掴持部材１１，１２と、該掴持部材１１，１２に前記柱体２の長手方向と直交的に交差する軸体としてのねじ軸１３を介して回転可能に連結され、前記柱体２を支持する支持部材１４と、前記ねじ軸１３に螺着され前記掴持部材１１，１２の掴持力を調整する調整ねじ１５とを有する。
【００２０】
掴持部材１１，１２は長手方向一端部に掴持凹部１１ａ，１２ａを有し、他端部が枢軸１６によって開閉可能に連結された略楕円形の半体からなり、両端部間の途中に円形のばね受座１１ｂ，１２ｂ及び該ばね受座１１ｂ，１２ｂの中心部を貫通する貫通孔１１ｃ，１２ｃが設けられており、ばね受座１１ｂ，１２ｂ間に掴持部材１１，１２を離間方向へ付勢するコイルバネ１７が介装されているとともに、前記貫通孔１１ｃ，１２ｃに前記ねじ軸１３が挿通支持されており、該ねじ軸１３のねじ部に前記調整ねじ１５が螺着されている。また、一方の掴持部材１１の貫通孔１１ｃ周りに菊座１１ｄが設けられている。尚、前記掴持凹部１１ａ，１２ａは比較的柔軟な合成樹脂材料からなる半円形の緩衝板により形成されている。
【００２１】
支持部材１４は略Ｌ字形に形成されており、一端部に前記菊座１１ｄに係合する菊座１４ａ及び該菊座１４ａの中心部を貫通する貫通孔１４ｂを有する連結部１４ｃが設けられており、他端部に前記貫通孔１４ｂと直交的に穿設され前記柱体２の移動を案内する案内孔１４ｄ、該案内孔１４ｄの内面に切り込まれたスリット１４ｅ及び該スリット１４ｅ部分を貫通する貫通孔１４ｆが設けられており、該貫通孔１４ｆにねじ軸１８が挿入され、該ねじ軸１８のねじ部にナット体１９が螺着されている。
【００２２】
柱体２は一端部に菊座２１ａ，２２ａ及び該菊座２１ａ，２２ａの中心部を貫通する貫通孔２１ｂ，２２ｂを有する２つの柱部材２１，２２からなり、各柱部材２１，２２の貫通孔２１ｂ，２２ｂに柱体２の長手方向と直交的に交差する軸体としてのねじ軸２３が挿入され、該ねじ軸２３のねじ部にナット体２４が螺合されることにより、各柱部材２１，２２を相対回転可能に連結してある。また、一方の柱部材の２１途中には再帰反射性を有するシート２５が巻回されており、他方の柱部材２２の他端部に菊座２２ｃ及び該菊座２２ｃの中心部を貫通する貫通孔２２ｄが設けられている。尚、菊座２２ａは柱部材２２の長手方向へ切り込まれたスリット２２ｅの内側に設けられている。
【００２３】
掴持体４は長手方向一端部に掴持凹部４１ａ，４２ａを有し、他端部が枢軸４３によって開閉可能に連結された略楕円形の２つの半体４１，４２からなり、両端部間の途中に円形のばね受座４１ｂ，４２ｂ及び該ばね受座４１ｂ，４２ｂの中心部を貫通する貫通孔４１ｃ，４２ｃが設けられており、ばね受座４１ｂ，４２ｂ間に半体４１，４２を離間方向へ付勢するコイルバネ４４が介装されているとともに、前記貫通孔４１ｃ，４２ｃに軸体としての前記ねじ軸３が挿通支持されており、該ねじ軸３の一端部に調整ねじ５が螺着されている。また、一方の半体４１の貫通孔４１ｃ周りに前記菊座２２ｃに係合する菊座４１ｄが設けられている。尚、前記掴持凹部４１ａ，４２ａは比較的柔軟な合成樹脂材料からなる半円形の緩衝板により形成されている。
【００２４】
図１１は傘用取着具を自転車に取着した状態を示す斜視図である。
以上のように構成された傘用取着具Ａは、自転車のパイプからなるハンドルＢに取着される。この取着は基台１の調整ねじ１５を弛緩させ、掴持部材１１，１２の掴持凹部１１ａ，１２ａ側を離間させた状態で掴持凹部１１ａ，１２ａを前記ハンドルＢに嵌合し、前記調整ねじ１５を緊締することにより基台１をハンドルＢに取着することができる。そして、この傘用取付具Ａの掴持体４に傘Ｃのグリップが取着けらされる。この取着は、調整ねじ５を弛緩させ、半体４１，４２の掴持凹部４１ａ，４２ａ側を離間させた状態で掴持凹部４１ａ，４２ａに傘Ｃのグリップを嵌合し、前記調整ねじ５を緊締することによりグリップを掴持体４に取着することができる。
【００２５】
このように傘Ｃを取着した後、ナット体１９を操作することにより前記ハンドルＢに対する傘Ｃの高さを調整することができ、さらに調整ねじ１５，５及びナット体２４を操作することによりハンドルＢに対する傘Ｃの位置調整を３段階で行うことができる。
【００２６】
即ち、ナット体１９を弛緩した状態で柱体２を上下方向へ移動させることにより掴持体４の上下位置を調整することができる。また、調整ねじ１５を弛緩し、ねじ軸１３を中心として基台１の支持部材１４を角回転させることにより、傘Ｃの位置を自転車の幅方向へ調整することができ、また、調整ねじ５を弛緩し、ねじ軸３を中心として掴持体４を角回転させることにより、傘Ｃの位置を自転車の前後方向へ調整することができ、さらにナット体２４を弛緩し、ねじ軸２３を中心として上側の柱部材２２を例えば前記支持部材１４の角回転方向と反対方向へ角回転させることにより、傘Ｃの位置を自転車の幅方向へさらに調整することができ、全体として高さ調整に加えてハンドルＢに対する傘Ｃの位置調整を３段階で行うことができる。従って、経時により日差しの方向が変化する状況下及び風雨の方向が変化する状況下で、傘Ｃを最適の位置に簡易に配置させることができる。
【００２７】
また、前記ハンドルＢに取着した傘用取着具Ａに傘Ｃを取着しないで自転車に乗る場合、調整ねじ１５を弛緩し、ねじ軸１３を中心として支持部材１４を角回転させることにより柱体２を自転車の幅方向へ倒すことができ、さらにナット体１９を弛緩し、掴持体４が基台１に近づくように柱体２を支持部材１４に対して移動させることにより柱体２及び掴持体４の前記ハンドルＢに対する突出長さを短くすることができる。従って、傘用取着具Ａを殊更取外すことなく自転車に乗ることができる。
【００２８】
図１２は傘用取着具を手押し車に取着した状態を示す斜視図である。
また、以上のように構成された傘用取着具Ａは自転車のハンドルＢに取着される他、例えば手押し車Ｄのパイプからなるフレームに取着される。この場合においても、ナット体１９を弛緩した状態で柱体２を上下方向へ移動させることにより掴持体４の上下位置を調整することができる。また、調整ねじ１５を弛緩し、ねじ軸１３を中心として基台１の支持部材１４を角回転させることにより、傘Ｃの位置を手押し車Ｄの幅方向へ調整することができ、また、調整ねじ５を弛緩し、ねじ軸３を中心として掴持体４を角回転させることにより、傘Ｃの位置を手押し車Ｄの前後方向へ調整することができ、さらにナット体２４を弛緩し、ねじ軸２３を中心として上側の柱部材２２を例えば前記支持部材１４の角回転方向と反対方向へ角回転させることにより、傘Ｃの位置を手押し車Ｄの幅方向へさらに調整することができ、全体として高さ調整に加えてフレームに対する傘Ｃの位置調整を３段階で行うことができる。従って、経時により日差しの方向が変化する状況下及び風雨の方向が変化する状況下で、傘Ｃを最適の位置に簡易に配置させることができる。
【００２９】
また、前記フレームに取着した傘用取着具Ａに傘Ｃを取着しないで手押し車Ｄを使用する場合、調整ねじ１５を弛緩し、ねじ軸１３を中心として支持部材１４を角回転させることにより柱体２を手押し車Ｄの幅方向、又は手押し車Ｄの下方へ倒すことができ、柱体２及び掴持体４の前記フレームに対する突出長さを短くすることができる。従って、傘用取着具Ａを殊更取外すことなく手押し車Ｄを使用することができる。
【００３０】
また、自転車Ｂ、手押し車Ｄに取着した傘Ｃを途中でさす必要がなくなった場合、例えば調整ねじ５を弛緩し、ねじ軸３を中心として掴持体４を約１８０度回転させることにより閉じた傘Ｃを下向きにすることができ、さらにナット体１９を弛緩して柱体２を下方へ移動させることにより、ハンドル、フレームに対する傘Ｃの突出量を少なくすることができる。
【００３１】
尚、以上説明した実施の形態では被取着体に取着する手段として被取着体を掴持する掴持部材１１，１２を有する構成としたが、その他、この手段は例えばねじ軸１３を介して支持部材１４に相対回転可能に連結される第１凹形部材と、該第１凹形部材と向き合う第２凹形部材と、該第２凹形部材を第１凹形部材に押し付ける締付ねじとを有する取着部材を備えた構成とし、該取着部材を被取着体に取着するようにしてもよいのであり、その構成は特に制限されない。また、前記取着部材を備える構成とした場合、前記ねじ軸１３にナット体を螺着する。
また、本発明に係る傘用取着具Ａは、主として自転車Ｂ、乳母車等の手押し車Ｄに傘Ｃを取着する場合に使用されるが、その使用形態は特に制限されない。
【００３２】
【発明の効果】
第１発明及び第２発明によれば、基台を被取着体に取着した状態で柱体を基台に対して移動させることにより傘の高さを調整することができ、しかも、軸体を中心として基台の支持部材を角回転させ、さらに軸体を中心として掴持体を角回転させることにより高さ調整に加えて被取着体に対する傘の位置調整を２段階で行うことができ、傘の位置調整の自由度を多くすることができる。
【００３３】
また、軸体を中心として支持部材を角回転させることにより柱体を自転車の幅方向へ倒すことができ、さらに柱体を前記支持部材に対して移動させることにより柱体及び掴持体の被取着体に対する突出長さを比較的短くすることができるため、傘用取着具に傘を取着しないで被取着体が使用される場合に傘用取着具を邪魔になり難くできる。
さらに、第２発明によれば、ねじ軸に螺着された調整ねじを操作することにより掴持部材の掴持力を調整することができるため、傘用取着具の取着、取外しを簡易に行うことができる。
【００３４】
第３発明によれば、軸体を中心として柱部材を角回転させることにより、前記した２段階での調整位置と異なる位置への調整を行うことができるため、傘の位置調整の自由度をより一層多くすることができる。
【図面の簡単な説明】
【図１】本発明に係る傘用取着具の構成を示す正面図である。
【図２】本発明に係る傘用取着具の構成を示す右側面図である。
【図３】本発明に係る傘用取着具の構成を示す背面図である。
【図４】本発明に係る傘用取着具の構成を示す左側面図である。
【図５】本発明に係る傘用取着具の構成を示す平面図である。
【図６】本発明に係る傘用取着具の構成を示す底面図である。
【図７】図３のＶＩＩ  −ＶＩＩ  線の拡大断面図である。
【図８】図２のＶＩＩＩ−ＶＩＩＩ線の拡大断面図である。
【図９】図２のＩＸ−ＩＸ  線の拡大断面図である。
【図１０】図２のＸ  −Ｘ  線の拡大断面図である。
【図１１】本発明に係る傘用取着具を自転車に取着した状態を示す斜視図である。
【図１２】本発明に係る傘用取着具を手押し車に取着した状態を示す斜視図である。
【符号の説明】
１    基台
１１，１２  掴持部材（取着部材）
１３  ねじ軸（軸体）
１４  支持部材
１５  調整ねじ
２    柱体
２１，２２  柱部材
２３  ねじ軸（軸体）
３    ねじ軸（軸体）
４    掴持体
【図１】
2004358070.tif 000003
【図２】
2004358070.tif 000004
【図３】
2004358070.tif 000005
【図４】
2004358070.tif 000006
【図５】
2004358070.tif 000007
【図６】
2004358070.tif 000008
【図７】
2004358070.tif 000009
【図８】
2004358070.tif 000010
【図９】
2004358070.tif 000011
【図１０】
2004358070.tif 000012
【図１１】
2004358070.tif 000013
【図１２】
2004358070.tif 000014